(57)【要約】【課題】水中ポンプ１における、給電ケーブル７３の断線を防止する。【解決手段】携行用ハンドル８の把持部８１における少なくとも下面に、ポンプ本体１０の上面から溜水部の外部にまで延びる給電ケーブル７３が非固定の状態で係合することによって、当該給電ケーブル７３を案内する案内部８５を設ける。給電ケーブル７３は、把持部８１を挟んだ一側においてケーブルブーツ７２から把持部８１の案内部に至るまでの間で湾曲する第１湾曲部と、当該第１湾曲部に連続しかつ、把持部８１の案内部によって第１湾曲部とは逆向きに湾曲する第２湾曲部とが形成されて、前記把持部８１を挟んだ他側に至るように配設される。ポンプ本体１０は、給電ケーブル７３によって吊り下げられた状態で、溜水部内に送り入れられる共に、当該溜水部から外部に引き出される。【選択図】図７
2008232112.tif 000002
【特許請求の範囲】
【請求項１】
水が溜まっている溜水部内に仮設されて、その水を当該溜水部から外部に排出するための水中ポンプであって、
その下端部に吸込口が形成されると共に、その上端部に吐出口が形成されたポンプ本体と、
前記ポンプ本体の上面において所定方向に延びて配設されて人手によって把持される把持部と、前記把持部の両端それぞれから下方に向かって延びて前記ポンプ本体の上面に固定される２つの脚部と、を有する携行用ハンドルと、
前記ポンプ本体の上面において、前記携行用ハンドルの把持部を挟んだ両側のうちの一側に配設されたケーブルブーツと、
前記ケーブルブーツに接続されかつ前記ポンプ本体に対する給電を行うための給電ケーブルと、を備え、
前記携行用ハンドルの把持部における少なくとも下面には、前記給電ケーブルが非固定の状態で係合することによって、当該給電ケーブルを案内する案内部が設けられ、
前記給電ケーブルは、前記把持部を挟んだ一側において前記ケーブルブーツから把持部の案内部に至るまでの間で湾曲する第１湾曲部と、当該第１湾曲部に連続しかつ、前記把持部によって前記第１湾曲部とは逆向きに湾曲する第２湾曲部とが形成されて、前記把持部を挟んだ他側に至るように配設されており、
前記ポンプ本体は、前記給電ケーブルによって吊り下げられた状態で、前記溜水部内に送り入れられる共に、当該溜水部から外部に引き出される水中ポンプ。
【請求項２】
請求項１に記載の水中ポンプにおいて、
前記ケーブルブーツは、前記携行用ハンドルにおける２つの脚部の内の一方の脚部の近傍位置に配設されており、
前記案内部は、前記ケーブルブーツに近い方の脚部と前記把持部との結合部分に設けられている水中ポンプ。
【請求項３】
請求項１又は２に記載の水中ポンプにおいて、
前記案内部は、前記把持部における一側の側面から、その下面に架けて凹状に形成されて前記給電ケーブルが内挿される窪みである水中ポンプ。
【請求項４】
請求項１に記載の水中ポンプにおいて、
前記ポンプ本体の上面において、前記把持部を挟んだ両側のうちの他側には、上方に突出して前記吐出口を構成するホースカップリングが配設され、
前記携行用ハンドルの高さは、前記ホースカップリングの高さと略同じに設定されており、
前記ポンプ本体は、それを倒立させたときに、前記ホースカップリングの上端と前記携行用ハンドルの上面とが地面に当接して、略直立の姿勢で支持される水中ポンプ。
【請求項５】
請求項２に記載の水中ポンプにおいて、
前記ポンプ本体の作動・停止のために前記溜水部内の水位を検知する水位検知センサと、
前記水位検知センサに接続されたセンサケーブルと、
前記ポンプ本体の上面において、前記携行用ハンドルの把持部を挟んだ両側のうちの一側に配設されて、前記センサケーブルが接続されるケーブルコネクタと、をさらに備え、
前記ケーブルコネクタは、前記携行用ハンドルにおける２つの脚部の内、前記ケーブルブーツから離れた他方の脚部の近傍位置に配設されており、
前記携行用ハンドルにおける前記他方の脚部には、前記水位検知センサを所定の位置に配置した状態で、前記センサケーブルの途中部分を係止する係止溝が形成されている水中ポンプ。
【発明の詳細な説明】
【技術分野】
【０００１】
本発明は、水中ポンプに関する。
【背景技術】
【０００２】
従来より、例えば建築現場等における建築用穴内に溜まった水を排出するために、当該建築用穴内に仮設される水中ポンプが知られている（例えば特許文献１参照）。この水中ポンプは、その内部にモータと羽根車とが収容されたポンプ本体を備えている。ポンプ本体には、モータに対し給電するための給電ケーブルが接続されていると共に、ポンプ本体の上面には、携行用のハンドルが取り付けられている。
【特許文献１】特開２００２−７０７８９号公報
【発明の開示】
【発明が解決しようとする課題】
【０００３】
ところで、こうした水中ポンプを使用する場合、通常は、前記の携行用ハンドルにロープ等を縛りつけ、そのロープによって吊り下げた状態で、ポンプ本体を建築用穴内に送り入れたり、建築用穴から引き出したりする。
【０００４】
しかしながらポンプ本体が比較的軽量である等の理由により、ロープを用いずに、給電ケーブルによってポンプ本体を吊り下げた状態で、ポンプ本体を建築用穴内に送り入れたり、建築用穴から引き出したりといった使われ方をする場合がある。その場合、ポンプ本体を吊り下げ状態にしたときに、給電ケーブルとケーブルブーツとの接続位置に大きな衝撃荷重が作用し、それによって、例えば給電ケーブルの断線等が生じてしまう虞がある。
【０００５】
そこで、例えば前記の特許文献１に記載された水中ポンプでは、携行用ハンドルにおける脚部の下面に、給電ケーブルが内挿可能な溝を形成し、給電ケーブルの途中部分を前記溝に挿入した状態で携行用ハンドルをポンプ本体に固定することによって、前記給電ケーブルの途中部分をポンプ本体に対して固定するようにしている。こうすることによって、仮に給電ケーブルによってポンプ本体を吊り下げた状態にしたとしても、給電ケーブルとケーブルブーツとの接続位置に荷重が作用することを回避して、給電ケーブルの断線等を防止するようにしている。
【０００６】
ところが特許文献１の構造では、携行用ハンドルによって給電ケーブルの途中部分を押さえ付けて固定しているため、給電ケーブルによって吊り下げ状態にしたときには、その給電ケーブル途中の固定されている部分と固定されていない部分との境界に衝撃荷重が作用すると共に、その境界で給電ケーブルが鋭く曲げられて応力が集中するため、その箇所で断線が生じてしまう虞がある。
【０００７】
本発明は、かかる点に鑑みてなされたものであり、その目的とするところは、仮に給電ケーブルによってポンプ本体を吊り下げ状態にしたとしても、その給電ケーブルの断線等の発生を防止することにある。
【課題を解決するための手段】
【０００８】
本発明は、水が溜まっている溜水部内に仮設されて、その水を当該溜水部から外部に排出するための水中ポンプに係る。
【０００９】
本発明の一側面によると、水中ポンプは、その下端部に吸込口が形成されると共に、その上端部に吐出口が形成されたポンプ本体と、前記ポンプ本体の上面において所定方向に延びて配設されて人手によって把持される把持部と、前記把持部の両端それぞれから下方に向かって延びて前記ポンプ本体の上面に固定される２つの脚部と、を有する携行用ハンドルと、前記ポンプ本体の上面において、前記携行用ハンドルの把持部を挟んだ両側のうちの一側に配設されたケーブルブーツと、前記ケーブルブーツに接続されかつ前記ポンプ本体に対する給電を行うための給電ケーブルと、を備える。
【００１０】
前記携行用ハンドルの把持部における少なくとも下面には、前記給電ケーブルが非固定の状態で係合することによって、当該給電ケーブルを案内する案内部が設けられ、前記給電ケーブルは、前記把持部を挟んだ一側において前記ケーブルブーツから把持部の案内部に至るまでの間で湾曲する第１湾曲部と、当該第１湾曲部に連続しかつ、前記把持部によって前記第１湾曲部とは逆向きに湾曲する第２湾曲部とが形成されて、前記把持部を挟んだ他側に至るように配設されており、前記ポンプ本体は、前記給電ケーブルによって吊り下げられた状態で、前記溜水部内に送り入れられる共に、当該溜水部から外部に引き出される。
【００１１】
この構成によると、携行用ハンドルの把持部における少なくとも下面に、給電ケーブルを案内する案内部を設けると共に、その案内部を利用して、給電ケーブルを、把持部を挟んだ一側において湾曲する第１湾曲部と、把持部によって第１湾曲部とは逆向きに湾曲する第２湾曲部とを形成しながら把持部を挟んだ他側に至るように配設する。このことによって、その給電ケーブルによりポンプ本体を吊り下げ状態にしたときには、給電ケーブルが、その第２湾曲部において把持部に対し密着するように変形するため、給電ケーブルと把持部との間で摩擦力が発生することになる。その摩擦力によって、給電ケーブルとケーブルブーツとの接続部分に作用する衝撃荷重が緩和される。
【００１２】
また、給電ケーブルによりポンプ本体を吊り下げた状態においては、給電ケーブルとケーブルブーツとの接続部分でポンプ本体の全自重を受けることにならずに、第２湾曲部においてもポンプ本体の自重を分散して受けることになるため、前記接続部分における応力集中が解消される。
【００１３】
つまり、給電ケーブルを固定することなく、給電ケーブルの曲げに対する弾性を利用して第１及び第２湾曲部が形成されるようにしながら、給電ケーブルを配設することによって、その給電ケーブルによりポンプ本体を吊り下げ状態にして、そのポンプ本体を溜水部内に送り入れたり、溜水部から引き出したりしても、給電ケーブルが断線等することが抑制される。
【００１４】
また、携行用ハンドルによって給電用ケーブルの案内をするため、別途部品を備える必要がなく、部品点数が増えないという利点がある。
【００１５】
前記ケーブルブーツは、前記携行用ハンドルにおける２つの脚部の内の一方の脚部の近傍位置に配設されており、前記案内部は、前記ケーブルブーツに近い方の脚部と前記把持部との結合部分に設けられている、としてもよい。
【００１６】
こうすることで、携行用ハンドルの把持部において案内される給電ケーブルは、その把持部の長手方向の中央ではなく端の位置に配設されることになるため、把持部を把持するときに、給電ケーブルが邪魔にならない。
【００１７】
前記案内部は、前記把持部における一側の側面から、その下面に架けて凹状に形成されて前記給電ケーブルが内挿される窪みである、としてもよい。
【００１８】
給電ケーブルを案内する案内部としては、例えば給電ケーブルと係合するように把持部から突出した突起状のものとすることも可能であるが、窪みとしたときには、把持部を把持したときに手が当たらず、携行用ハンドルが握りやすいという利点がある。
【００１９】
前記ポンプ本体の上面において、前記把持部を挟んだ両側のうちの他側には、上方に突出して前記吐出口を構成するホースカップリングが配設され、前記携行用ハンドルの高さは、前記ホースカップリングの高さと略同じに設定されており、前記ポンプ本体は、それを倒立させたときに、前記ホースカップリングの上端と前記携行用ハンドルの上面とが地面に当接して、略直立の姿勢で支持される、としてもよい。
【００２０】
こうすることで、ポンプ本体を倒立させてメンテナンスを行うときには、ホースカップリングと携行用ハンドルとによって、ポンプ本体が安定して直立の姿勢に支持される。
【００２１】
前述したように、給電ケーブルが固定されていないため、ポンプ本体を倒立させたときに給電ケーブルが地面に当たったりしても、その給電ケーブルは比較的自由に変形することになり、ホースカップリングと携行用ハンドルとのみで、ポンプ本体を支持することになる。
【００２２】
つまり、給電ケーブルの途中部分を固定している場合には給電ケーブルが予め曲げられて所定以上の剛性を有する状態となり、ポンプ本体を倒立させたときに、その部分が地面に当たってポンプ本体の倒立姿勢が不安定になることが起こり得る。これに対し、給電ケーブルを固定せずに比較的自由に変形可能にしておくことによって、ポンプ本体が安定して直立の姿勢に支持されて、メンテナンス性が向上する。
【００２３】
前記水中ポンプは、前記ポンプ本体の作動・停止のために前記溜水部内の水位を検知する水位検知センサと、前記水位検知センサに接続されたセンサケーブルと、前記ポンプ本体の上面において、前記携行用ハンドルの把持部を挟んだ両側のうちの一側に配設されて、前記センサケーブルが接続されるケーブルコネクタと、をさらに備え、前記ケーブルコネクタは、前記携行用ハンドルにおける２つの脚部の内、前記ケーブルブーツから離れた他方の脚部の近傍位置に配設されており、前記携行用ハンドルにおける前記他方の脚部には、前記水位検知センサを所定の位置に配置した状態で、前記センサケーブルの途中部分を係止する係止溝が形成されている、としてもよい。
【００２４】
センサケーブルの途中部分を係止溝によって係止することで、例えばセンサケーブルの途中部分が引っ掛かって断線等をすることが防止される。
【発明の効果】
【００２５】
以上説明したように、本発明によると、携行用ハンドルの把持部に案内部を設けると共に、給電ケーブルを固定することなく、給電ケーブルの曲げに対する弾性を利用して第１及び第２湾曲部が形成されるようにしながら給電ケーブルを配設することによって、その給電ケーブルにより、ポンプ本体を吊り下げ状態にして、そのポンプ本体を溜水部内に送り入れたり、溜水部から引き出したりしても、給電ケーブルが断線等することを抑制することができる。
【発明を実施するための最良の形態】
【００２６】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２７】
（実施形態１）
図１は、本発明の実施形態に係る水中ポンプ１の断面図を示している。この水中ポンプ１は、排水処理等に使用される仮設式のポンプであり、羽根車２１を有するポンプ部２と、該羽根車２１を駆動するモータ４を有するモータ部３と、を含むポンプ本体１０を備えている。ポンプ本体１０は、オイルケーシング６を挟んだ下側にポンプ部２を、その上側にモータ部３をそれぞれ配置することによって、ポンプ部２及びモータ部３が上下方向に並んで配置されている。
【００２８】
前記モータ部３は、ステータ４１及びロータ４２からなる前記モータ４と、該モータ４のステータ４１を覆うステータケーシング（モータケーシング）３１と、ステータケーシング３１の上端に取り付けられるモートルカバー３２と、を備えている。
【００２９】
前記モータ４は、単相モータであり、そのロータ４２の略中心に上下方向に延びる駆動軸４３が配設されている。そして、前記駆動軸４３の下端部には、羽根車２１が取り付けられており、これにより、前記モータ４の回転が該羽根車２１に伝達される。
【００３０】
前記ステータケーシング３１は、上端開口の有底円筒状であり、その底部の略中心位置には、前記駆動軸４３が貫通する貫通孔が形成されていると共に、前記駆動軸４３の略中間部分を回転可能に支持する軸受３３が取り付けられている。
【００３１】
前記モートルカバー３２は、断面略逆Ｕ字状を有していて、前記ステータケーシング３１の上端開口を閉塞するように、このステータケーシング３１の上端に対して取り付けられている。
【００３２】
尚、図示は省略するが、ステータケーシング３１及びモートルカバー３２内には、前記モータ４を駆動するための各種電気部品が収容される。ここで、その電気部品の１つとしての、前記モータ４の少なくとも始動用として用いられるコンデンサは、モータ４の上方位置に配設されることが一般的である。これに対し、この水中ポンプ１では、図示は省略するが、コンデンサが、ステータケーシング３１内においてモータ４の側方位置に配設されており、これによって、水中ポンプ１の全高が小さくなるようにしている。そうして、コンデンサをモータ４の側方位置に配設することに伴い、駆動軸４３を支持する軸受３５を取り付けるためのブラケット３２ａを、モートルカバー３２に直接設けることが可能になっている。
【００３３】
前記オイルケーシング６は、略円筒状であり、その筒軸方向の中央位置に、前記ポンプ部２とモータ部３とを区画する区画壁６１が形成されている。そうして、区画壁６１の上面側には、上方に突出する環状の起立壁６２が区画壁６１と一体に形成されている。また、区画壁６１には、その起立壁６２に囲まれた空間の中心に相当する位置に、上下に貫通する貫通孔が形成されており、その貫通孔内をモータ４の駆動軸４３が貫通して配置されている。
【００３４】
前記オイルケーシング６は、その起立壁６２の上端が、前記ステータケーシング３１の下面に対して固定されることによって、区画壁６１、起立壁６２及びステータケーシング３１の下面によって囲まれた密閉空間を形成する。この密閉空間内には、メカニカルシール６４が配置されているのに対し、区画壁の下面側には、オイルシール６５が取り付けられている。
【００３５】
前記オイルケーシング６の環状の起立壁６２よりも径方向外側の部分には、その外周に沿って間欠的に複数の貫通口６６（図１においては１個のみ示す）が形成されている。それらの貫通口６６によりオイルケーシング６の下面側（ポンプ部２側）が外ケーシング５内に連通される。
【００３６】
前記外ケーシング５は、断面略逆Ｕ字形の有蓋円筒状を有しており、その下端が前記オイルケーシング６の上端に取り付けられることによって、オイルケーシング６と共にモータ４を収容するモータ収容部を形成する。そうして、外ケーシング５とステータケーシング３１との間に、モータ４の周囲を周回する環状の流路５１が形成される。
【００３７】
前記ポンプ部２は、上述したように、モータ４の駆動軸４３の下端に取り付けられた羽根車２１を備えると共に、ポンプケーシング２２を備えている。
【００３８】
前記ポンプケーシング２２は、断面略Ｕ字形の略有底筒状に形成されていて、前記オイルケーシング６の下側に取り付けられて、前記羽根車２１を下側から覆うように配設されている。
【００３９】
前記ポンプケーシング２２の底部には、前記羽根車２１の中心位置に対応する位置に、吸込口２２ａが形成されている。
【００４０】
尚、符号２３は、羽根車２１の背面側に配置されかつ、ポンプケーシング２２とオイルケーシング６とによって挟持される後面ライナーである。
【００４１】
前記オイルケーシング６の下側にはまた、前記ポンプケーシング２２を覆うようにストレーナ７が配設されている。このストレーナ７は、縦断面略Ｕ字形の略有底円筒状に形成されており、その外周壁部に複数の吸引穴が形成されている（図示省略）。そうして、ストレーナ７の上端が前記オイルケーシング６の下端に対し取り付けられて、ボルト７１が上向きに螺合されることによって、ストレーナ７とオイルケーシング６とによってポンプ部２を収容するポンプ収容部が形成される。
【００４２】
前記外ケーシング５の上面には、図１，２に示すように、図示省略の排水ホースが接続されるホースカップリング５３と、携行用ハンドル８と、前記モータ４に給電する給電ケーブル（キャプタイヤケーブル）７３が挿通されるケーブルブーツ７２と、がそれぞれ配設されている。
【００４３】
前記外ケーシング５の上面は、平面視で円形状を有していると共に、その前後方向の後側部分（図２の左側）は、後方に向かって下方に傾斜した傾斜部とされている。
【００４４】
前記ホースカップリング５３は、図示は省略するが、その下端が前記環状の流路５１に連通すると共に、その上端が上向きに開口した両端開口でかつフランジ付きの筒状部材であって、前記傾斜部に対して、そのフランジ部分がボルトにより固定されることにより、外ケーシング５の上面に対して取り付けられている。尚、このホースカップリング５３は、左右方向（図２の上下方向）に対しては略中央位置に配設されている。また、前記傾斜部に取り付けられたホースカップリング５３は、鉛直上向きに延びて配設されており、その上端はポンプ本体１０の上面（水平な面）に対して所定の高さ位置となるように設定されている。
【００４５】
前記携行用ハンドル８は、外ケーシング５の上面における前後方向の中央部分に、左右方向に延びて配設されている。尚、携行用ハンドル８の構成の詳細は後述する。
【００４６】
前記ケーブルブーツ７２は、外ケーシング５の上面における前後方向の前側部分（図２の右側）に対して、ボルトによって固定されており、これによって、ホースカップリング５３とケーブルブーツ７２は、携行用ハンドル８を挟んだ前後両側のそれぞれに配設されていることになる。ケーブルブーツ７２はまた、ホースカップリング５３とは異なり、左右方向の中央位置よりも左側にずれた位置に配設されており、これによって、ケーブルブーツ７２は、後述する携行用ハンドル８における左側（図２の下側）の脚部８２ａの近傍位置に位置している。
【００４７】
前記携行用ハンドル８は、図３〜６に示すように、外ケーシング５の上面よりも上方位置において、左右方向に延びて配設されて人手によって把持される把持部８１と、前記把持部８１の左右の両端それぞれから下方に向かって延びて前記外ケーシング５の上面に固定される２つの脚部８２（８２ａ，８２ｂ）と、を有する。携行用ハンドル８は、把持部８１と２つの脚部８２とが一体に成型された樹脂成形品とすればよい。
【００４８】
前記把持部８１は、その横断面が略矩形状に形成された棒状の部分であって、左右方向に対しては、人手によって把持可能な程度の長さを有している。
【００４９】
前記各脚部８２は、外ケーシング５の上面に当接して当該外ケーシング５に固定される固定部８３と、固定部８３と把持部８１との間を両者を互いに連結する連結部８４と、を備えて構成されている。
【００５０】
前記固定部８３には鉛直方向に貫通して、携行用ハンドル８を外ケーシング５に固定するためのボルトが挿通されるボルト孔８３ａが形成されている。連結部８４は、ボルト孔８３ａを囲むように平面視で略Ｕ字状に形成されており、その上端における前側の部分には、上方に若干突出すると共に、その上端面が平坦にされた突起８４ａが形成されている。連結部８４の上端における前側の部分は、この突起８４ａの分だけ後側の部分に比べて高くなるようにされている（図６参照）。そしてその突起８４ａの部分における携行用ハンドル８の高さが、前記ホースカップリング５３の高さと同じに設定されている。
【００５１】
前記の携行用ハンドル８において、把持部８１と左側の脚部８２ａとの結合部分には、把持部８１における前側の側面から下面に架けて凹陥することによって、図６に示すように傾斜した形状を有する窪み８５が形成されている。この窪み８５は、給電ケーブル７３が内挿可能な幅を有していて、給電ケーブル７３の配設を案内する案内部として機能する。
【００５２】
つまり、ケーブルブーツ７２に接続された給電ケーブル７３は、図２，７に示すように、そのケーブルブーツ７２と把持部８１との間において上向きに湾曲する第１湾曲部を形成すると共に、前記窪み８５を含む把持部８１によって、下向きに湾曲する第２湾曲部を、第１湾曲部に連続して形成するようにして、携行用ハンドル８の後側に至るように配設される。換言すれば、ケーブルブーツ７２の位置と、携行用ハンドル８の位置とは、給電ケーブル７３の許容曲げ半径に応じて、第１湾曲部を形成可能な程度に互いに離されていると共に、携行用ハンドル８の高さもまた、第１湾曲部を形成可能なように設定されている。
【００５３】
この水中ポンプ１において、例えば建築現場の建築用穴内の溜まり水を排水するような場合には、まずホースカップリング５３に図示省略の排水ホースの一端を連結しておいて、水中ポンプ１を溜まり水に浸るように建築用穴に配置する。
【００５４】
このときに、給電ケーブル７３によってポンプ本体１０を吊り下げ状態にしたときには、前述したように、給電ケーブル７３は第１及び第２湾曲部を形成することになる。給電ケーブル７３は、その弾性によって、第２湾曲部において把持部８１に対して密着するようになるため、給電ケーブル７３と把持部８１との間で摩擦力が発生する。その摩擦力によって、給電ケーブル７３とケーブルブーツ７２との接続部分に作用する衝撃荷重が緩和される。また、給電ケーブル７３とケーブルブーツ７２との接続部分において、ポンプ本体１０の全自重を受けることにならずに、第２湾曲部においてもポンプ本体１０の自重が分散して受けることになる。このため、前記接続部分における応力集中が解消される。そうして、給電ケーブル７３によってポンプ本体１０を吊り下げ状態にしても、給電ケーブル７３の断線等が防止される。
【００５５】
給電ケーブル７３によって、ポンプ本体１０を建築用穴内に送り入れて水中ポンプ１を溜まり水に浸るようにすれば、その状態で、給電ケーブル７３を介してモータ４に給電し、水中ポンプ１のモータ４を駆動させる。それによって、羽根車２１が回転しその遠心力により羽根車２１の周辺部の水が側方へ押し出されて、羽根車２１の中央下部に対応する領域が減圧される。この減圧により、水がストレーナ７の側方から吸引穴、及び吸込口２２ａを通ってポンプケーシング２２内に吸引される。さらに、その水が前記遠心力により羽根車２１の側方に押し出されて、オイルケーシング６の貫通口６６を通り外ケーシング５内の環状の流路５１に導かれる。こうして、水が環状の流路５１内に所定量以上溜まると、ホースカップリング５２及び排水ホースを通って外部に排出され、建築用穴内の溜まり水が排水される。
【００５６】
そうして、建築用穴内の溜まり水の排水が完了する等して、水中ポンプ１を建築用穴内から引き出すときにも、給電ケーブル７３によってポンプ本体１０が吊り下げ状態にされるが、前述した水中ポンプ１を建築用穴に送り入れるときと同様に、給電ケーブル７３とケーブルブーツ７２との接続部分に衝撃荷重が作用せず、また、その部分の応力集中が緩和されるため、給電ケーブル７３の断線等の発生が抑制される。
【００５７】
ケーブルブーツ７２を、外ケーシング５における左右方向の左側にずらして配置すると共に、そのケーブルブーツ７２の配設位置に近い位置である、把持部８１における左端に、前記窪み８５を位置させることによって、給電ケーブル７３が把持部８１の中央側に移動することがなく、把持部８１を人手で把持するときに、その給電ケーブル７３が邪魔になることがない。また、給電ケーブル７３の案内部を窪み８５によって構成することにより、把持部８１を把持したときに手が当たらず、把持部８１が握りやすくなる。
【００５８】
前記水中ポンプ１のメンテナンスの際には、図８に示すように、ポンプ本体１０を倒立させることになるが、このときに、ホースカップリング５３と携行用ハンドル８との高さが互いに同じに設定されているため、ポンプ本体１０を安定して倒立させることができる。特にホースカップリング５３から離れた側である、連結部８４の上端における前側の部分に形成された突起８４ａが地面（床面）に当接することによって、図８に示す方向に見て、可及的に離れた２点（ホースカップリング５３の上端、及び、携行用ハンドル８の突起８４ａ）で、ポンプ本体１０を支持することになり、ポンプ本体１０を安定して支持することができる。
【００５９】
このときに、給電ケーブル７３は固定されていないため、比較的自由に移動及び変形することができる。つまり、給電ケーブル７３の途中部分を固定等したときには、給電ケーブル７３が予め曲げられた状態になって所定以上の剛性を有する状態となる場合があり、その場合は、ポンプ本体１０を倒立させたときに、給電ケーブル７３のその部分が地面に当たってポンプ本体１０の倒立姿勢が不安定になることが起こり得る。これに対し、給電ケーブル７３を固定しない場合には、ポンプ本体１０を倒立させたときに給電ケーブル７３が地面に当たっても、その給電ケーブル７３は比較的自由に変形することになり（図８における給電ケーブル７３と把持部８１との間の隙間参照）、ホースカップリング５３と携行用ハンドル８とのみで、ポンプ本体１０が支持されることになる。その結果、ポンプ本体１０を安定して倒立姿勢に保持して、メンテナンス性を向上させることができる。
【００６０】
（実施形態２）
実施形態２に係る水中ポンプ１は、水位検知センサ９１を備え、その水位検知センサ９１の検出信号に基づいて自動的に作動・停止を行うように構成されている。尚、実施形態１に係る水中ポンプと同じ構成については同じ符号を付して、その説明を適宜省略する。
【００６１】
この水中ポンプ１は、図１１，１２に示すように、水位検知センサ９１と、ケーブルコネクタ９２と、水位検知センサ９１とケーブルコネクタ９２とを互いに連結するセンサケーブル９３と、をさらに備えている。ケーブルコネクタ９２は、外ケーシング５の上面に、ケーブルブーツ７２、ホースカップリング５３及び携行用ハンドル８と共に配設されている。
【００６２】
このケーブルコネクタ９２は、ケーブルブーツ７２と同様に、外ケーシング５の上面における前後方向の前側部分（図２の右側）に対して、ボルトによって固定されている。ケーブルコネクタ９２はまた、左右方向の中央位置よりも右側にずれた位置に配設されており、これによって、ケーブルコネクタ９２とケーブルブーツ７２とは、左右方向に並んで配置されている。
【００６３】
水中ポンプ１はまた、前記水位検知センサ９１を、所定の位置に保持するためのセンサ保持バンド９４を備えている。このセンサ保持バンド９４は、リング部９５と、圧入孔９６ａが形成された取付部９６と、を備えて構成されている。
【００６４】
前記リング部９５は、ポンプ本体１０の外ケーシング５の外径よりも小さい径を有するゴム材からなり、外ケーシング５に外挿されたときには、縮径方向への弾性復元力によって、前記外ケーシング５の外周囲を抱持して、外ケーシング５に対し、所定の高さ位置で固定されるようになっている。
【００６５】
前記取付部９６は、当該リング部９５から径方向の外方に向かって膨出するように、前記リング部９５に対し一体的に形成されている。そしてその圧入孔９６ａは、取付部９６の中央位置に上下に貫通して形成されていると共に、その径は、円柱状の水位検知センサ９１の外径よりも若干小径に設定されている。これにより、圧入孔９６ａ内に水位検知センサ９１を挿入したときには、取付部９６は、ゴムの弾性復元力によって水位検知センサ９１を保持することができる。そうして、図１１（ｂ）、図１２（ｂ）に示すように、取付部９６は、所定長さを有する円柱状の水位検知センサ９１の任意の位置を保持することにより、そのセンサの高さ位置、換言すれば検知水位を変更することが可能にされている。
【００６６】
この水中ポンプ１における携行用ハンドル８は、図９，１０に示すように、その右側の脚部８２ｂの固定部８３に、係止溝８６が形成されている。この係止溝８６は、前記センサケーブル９３が内挿されてこのセンサケーブル９３を係止する溝であり、右側の脚部８２ｂの固定部８３における後端部分において、後端に開口すると共に、左右方向に延びて形成されている。
【００６７】
次に、この水中ポンプ１において、その起動水位を変更する場合について説明する。先ず、水位検知センサ９１の先端位置を下に下げ、それによって起動水位を相対的に低い位置に設定するときには、図１１に示すように、水位検知センサ９１の上端部分を、センサ保持バンド９４の取付部９６によって保持すると共に、その取付部９６を、携行用ハンドル８よりも前側の、ケーブルコネクタ９２に近い位置に位置づけるようにする（図１１（ａ））。この場合、水位検知センサ９１が比較的低い位置に位置しているため、センサケーブル９３は弛むことなく配設される。
【００６８】
一方、起動水位を相対的に高い位置に設定するときには、図１２に示すように、水位検知センサ９１の下端部分を、センサ保持バンド９４の取付部９６によって保持すると共に、その取付部９６を、携行用ハンドル８よりも後側の、ケーブルコネクタ９２から離れた位置に位置づけるようにする（図１２（ａ））。この場合、センサケーブル９３は、携行用ハンドル８と交差するように、把持部８１の下方を通ってその前側から後側へ至るように配設される。このときに、センサケーブル９３の途中部分を、携行用ハンドル８の係止溝８６に係止させることにより、センサケーブル９３の途中部分が弛むことなく配設される。こうすることによって、ポンプ本体１０を建築用穴等に送り入れたり、建築用穴等から引き出したり、また、建築用穴等内での使用中に、センサケーブル９３の途中部分が引っ掛かって断線等をすることが防止される。
【００６９】
尚、実施形態２に係る水中ポンプ１において、給電ケーブル７３によってポンプ本体１０を吊り下げ状態にしたときに、その給電ケーブル７３の断線等を防止することができる点は、実施形態１と同様である。
【００７０】
尚、実施形態１，２において、給電ケーブル７３を案内する案内部は、窪み８５に限らず、把持部の側面から突出する突起状のものにして、給電ケーブル７３と係合させるように構成してもよい。
【産業上の利用可能性】
【００７１】
以上説明したように、本発明は、給電ケーブルによりポンプ本体を吊り下げ状態にして、ポンプ本体を溜水部内に送り入れたり、溜水部から引き出したりしても、給電ケーブルが断線等することを抑制することができるから、水中ポンプとして有用である。
【図面の簡単な説明】
【００７２】
【図１】実施形態に係る水中ポンプの断面図である。
【図２】水中ポンプの平面図である。
【図３】携行用ハンドルの斜視図である。
【図４】携行用ハンドルの平面図である。
【図５】携行用ハンドルの正面図である。
【図６】図５のVI−VI断面図である。
【図７】ポンプ本体の吊り下げ状態を示す一部断面の拡大側面図である。
【図８】ポンプ本体の倒立させた状態を示す一部断面の拡大側面図である。
【図９】実施形態２に係る携行用ハンドルの背面図である。
【図１０】実施形態２に係る携行用ハンドルの右側面図である。
【図１１】水位検知位置を相対的に低くした場合における水中ポンプの平面図（ａ）及び側面図（ｂ）である。
【図１２】水位検知位置を相対的に高くした場合における水中ポンプの平面図（ａ）及び側面図（ｂ）である。
【符号の説明】
【００７３】
１    水中ポンプ
１０  ポンプ本体
５３  ホースカップリング
７２  ケーブルブーツ
７３  給電ケーブル
８  携行用ハンドル
８１  把持部
８２  脚部
８５  窪み（案内部）
８６  係止溝
９１  水位検知センサ
９２  ケーブルコネクタ
９３  センサケーブル
【図１】
2008232112.tif 000003
【図２】
2008232112.tif 000004
【図３】
2008232112.tif 000005
【図４】
2008232112.tif 000006
【図５】
2008232112.tif 000007
【図６】
2008232112.tif 000008
【図７】
2008232112.tif 000009
【図８】
2008232112.tif 000010
【図９】
2008232112.tif 000011
【図１０】
2008232112.tif 000012
【図１１】
2008232112.tif 000013
【図１２】
2008232112.tif 000014